(57)【要約】      （修正有）【課題】放熱対象に設置されて該放熱対象の発熱を吸収する放熱装置であって、その放熱効率が従来に比べて高い放熱装置を提供する。【解決手段】放熱装置は、上下両面を有し、且つ下面を吸熱面とする吸熱ベース２１と、前記吸熱ベースの上面に連続するように構成されている熱交換手段２２と、を備える。前記熱交換手段２２は、冷媒が貯蔵されている冷媒貯蔵空間を挟む二重の金属板体により形成された板形のものであり、水平に延伸している水平部２２３と、前記水平部の左右両端縁からそれぞれ上方へ斜めに延伸している２つの斜向部２２４と、前記２つの斜向部それぞれの上端縁から上方へ垂直に延伸している２つの垂直部２２５とを設ける。また、前記水平部を有する部分の下面が前記吸熱ベース２１の上面と密着しており、前記２つの斜向部及び前記２つの垂直部の両側には、それぞれ複数の放熱フィン２２２を取り付ける。【選択図】図３
0003169369.tif 000002
【実用新案登録請求の範囲】
【請求項１】
上下両面を有し、且つ前記下面を吸熱面とする吸熱ベースと、
前記吸熱ベースの上面に連続するように構成されている熱交換手段と、を備えている放熱装置において、
前記熱交換手段は、冷媒が貯蔵されている冷媒貯蔵空間を有すると共に、
前記冷媒貯蔵空間は水平に延伸している水平部と、前記水平部の左右両端縁からそれぞれ上方へ斜めに延伸している２つの斜向部と、前記２つの斜向部それぞれの上端縁から上方へ垂直に延伸している２つの垂直部と、を有するように形成されており、
前記水平部を有する部分の下側の面が前記吸熱ベースの上面と密着しており、前記２つの斜向部及び前記２つの垂直部の両側には、それぞれ複数の放熱フィンが取り付けられていることを特徴とする放熱装置。
【請求項２】
前記冷媒貯蔵空間内に、伝熱用パッキングとしての金属網が設けられていることを特徴とする請求項１に記載の放熱装置。
【請求項３】
前記熱交換手段に、放熱ファンが更に取り付けられていることを特徴とする請求項１または２に記載の放熱装置。
【請求項４】
前記吸熱ベースに複数の前記熱交換手段が取り付けられていることを特徴とする請求項１〜請求項３のいずれか１項に記載の放熱装置。
【考案の詳細な説明】
【技術分野】
【０００１】
本考案は放熱装置に関し、特に、放熱対象に設置されて該放熱対象の発熱を吸収して発散させる放熱装置に関する。
【背景技術】
【０００２】
図１及び図２に示されているのは、特許文献１により開示された従来の放熱装置の一例であり、そのうち図１はその斜視図であり、図２はその内部構成が示されている横断面図である。
【０００３】
図１に示されているように、該従来の放熱装置１は、底板１０を放熱対象に設置することによって、該放熱対象から熱を吸収して底板１０の上面に形成されている多数の放熱フィンから放熱するものである。
【０００４】
また、図２に図示されているように、底板１０の内部には中空１００が形成されており、この中空１００は複数の冷媒流路１０１が縦横交錯するように構成されている。
【０００５】
底板１０が放熱対象から吸収した熱によって加熱された冷媒は、冷媒流路１０１に沿って対流しながら熱を底板１０の上面に形成されている放熱フィンに伝え、発散させることができる。
【０００６】
しかし、この従来の放熱装置１は、通常決まった流れ方向を有しない冷媒を冷媒流路１０１内に対流させることによる放熱を意図したものであるが、その構成には冷媒が温度の高低に応じて対流できる高低差が十分ではない。このため蒸発した気体の冷媒は気化前の液体冷媒とともに冷媒流路１０１内に滞留し、冷媒の相転移を放熱に効率的に利用することができない事例がしばしばあるため、放熱装置１には進歩の余地が大幅に残されている。
【先行技術文献】
【特許文献】
【０００７】
【特許文献１】台湾新型特許第Ｍ２６１９７２号明細書
【考案の概要】
【考案が解決しようとする課題】
【０００８】
上記問題点に鑑みて、本考案は、放熱対象に設置されて該放熱対象の放熱を吸収して発散させる放熱装置であって、その冷媒の相転移が従来に比べて円滑で、放熱効率を十分に向上できる放熱装置の提供を目的とする。
【課題を解決するための手段】
【０００９】
上記目的を達成すべく本考案は、上下両面を有し、且つ下面を吸熱面とする吸熱ベースと、前記吸熱ベースの上面に連続するように構成されている熱交換手段と、を備えている放熱装置を提供する。この放熱装置において、前記熱交換手段は、冷媒が貯蔵されている冷媒貯蔵空間を挟む二重の金属板体により形成された板形のものであると共に、前記冷媒貯蔵空間は、水平に延伸している水平部と、前記水平部の左右両端縁からそれぞれ斜め上方へ延伸している２つの斜向部と、前記２つの斜向部それぞれの上端縁から垂直上方へ延伸している２つの垂直部と、を有するように形成されており、また前記水平部を有する部分の下面が前記吸熱ベースの上面と密接しており、前記２つの斜向部及び前記２つの垂直部の両側には、それぞれ複数の放熱フィンが取り付けられていることを特徴とする放熱装置を提供する。
【００１０】
上記放熱装置において、前記冷媒貯蔵空間内には、伝熱用パッキングとしての金属網が詰まっていることが好ましい。
【００１１】
上記放熱装置において、前記熱交換手段には、放熱ファンが更に取り付けられていることが好ましい。
【００１２】
上記放熱装置において、前記吸熱ベースには、複数の前記熱交換手段が取り付けられていることが好ましい。
【考案の効果】
【００１３】
上記構成により、本考案の放熱装置は、冷媒が貯蔵されている冷媒貯蔵空間が、水平に延伸している水平部と斜向部と垂直部とを有するように熱交換手段を形成するので、水平部において熱を吸収して気化した冷媒を斜向部から垂直部へ案内することにより、冷媒を斜向部と垂直部とに沿って上昇させると共に、吸収した熱を金属板体から複数の放熱フィンに伝えて、冷媒を再び液体に凝縮させて水平部へ流入させることができ、冷媒の相転移を上手く利用して従来に比べて放熱する効率を更に高めた放熱装置を提供することができる。
【図面の簡単な説明】
【００１４】
【図１】従来の放熱装置の一例での外部構成が示されている斜視図である。
【図２】同放熱装置の内部構成が示されている断面図である。
【図３】本考案の放熱装置の第１の好ましい実施形態の縦断面図である。
【図４】図３におけるＩＶ−ＩＶ線に沿って切った縦断面図である。
【図５】本考案の放熱装置の第２の好ましい実施形態の縦断面図である。
【考案を実施するための形態】
【００１５】
以下は各図面を参照しながら、本考案の各好ましい実施形態について詳しく説明する。
【００１６】
図３は本考案の放熱装置の第１の好ましい実施形態の縦断面図である。図示されているように、本考案の放熱装置２は、上面２１２並びに下面２１１を有し、且つ下面２１１を放熱対象３に設置することにより吸熱面とすることができる吸熱ベース２１と、吸熱ベース２１の上面２１２に取り付けられている熱交換手段２２と、を備えている。
【００１７】
図３は断面図であるため、図中では１つの熱交換手段２２しか示されていないが、放熱対象のサイズに応じて、吸熱ベース２１に複数の熱交換手段２２を取り付けることは当然可能である。
【００１８】
熱交換手段２２は、冷媒が貯蔵されている冷媒貯蔵空間２２０を挟む二重の金属板体２２１により形成された板形のものであると共に、冷媒貯蔵空間２２０を水平に延伸させる水平部２２３と、水平部２２３の左右両端縁からそれぞれ斜め上方へ延伸している２つの斜向部２２４と、２つの斜向部２２４それぞれの上端縁から垂直上方へ延伸している２つの垂直部２２５とを有するように、吸熱ベース２１の上面２１２に連続するように構成されている。
【００１９】
熱交換手段２２の水平部２２３を有する部分の下面は吸熱ベース２１の上面２１２と密着しており、２つの斜向部２２４及び２つの垂直部２２５の両側には、それぞれ複数の放熱フィン２２２が取り付けられている。
【００２０】
この構成により、本考案の放熱装置２は、冷媒が貯蔵されている冷媒貯蔵空間２２０の水平部２２３において放熱対象３から熱を吸収して気化した冷媒を、斜向部２２４において垂直部２２５に案内することにより、冷媒を斜向部２２４と垂直部２２５とに沿って上昇させると共に、吸収した熱を金属板体２２１から複数の放熱フィン２２２に伝えることで、冷媒を再び液体に凝縮して水平部２２３へ流入させることができ、従来に比べて放熱する効率を更に高めた放熱装置を提供することができる。
【００２１】
また、図４に示されているように、熱交換手段２２の冷媒貯蔵空間２２０の垂直部２２５内に、伝熱用パッキングとしての金属網２２７が設けられており、金属材料と冷媒との接触面積を増やして放熱する効率を高めることができる。
【００２２】
次いで、図５を参照しながら、本考案の第２の好ましい実施形態について説明する。
【００２３】
図５は本考案の放熱装置の第２の好ましい実施形態の縦断面図である。図示されているように、本考案の放熱装置の第２の好ましい実施形態は、第１の好ましい実施形態と類似する構成を有しているが、熱交換手段２２に、放熱ファン２３が更に取り付けられている。この放熱ファン２３を更に備えることによって、放熱フィン２２２の周辺にある空気の流れを促進させて、放熱する効率を格段に高めることができる。
【００２４】
ちなみに、各図示されているように、本考案の各実施形態では熱交換手段２２を吸熱ベース２１の上面２１２に密接させる構成を取っているが、熱交換手段２２と吸熱ベース２１とを一体に作成することも可能である。
【産業上の利用可能性】
【００２５】
上記構成により、本考案の放熱装置は、冷媒が貯蔵されている冷媒貯蔵空間が、水平に延伸している水平部と斜向部と垂直部とを有するように熱交換手段を形成するので、水平部において熱を吸収して気化した冷媒を斜向部において垂直部に案内することにより、冷媒を斜向部と垂直部とに沿って上昇させると共に、吸収した熱を金属板体から放熱フィンに伝えて、冷媒を再び液体に凝縮させて水平部へ流入させることができ、冷媒の相転移を上手く利用して従来に比べて放熱する効率を更に高めた放熱装置を提供することができる。
【符号の説明】
【００２６】
２  放熱装置
２１  吸熱ベース
２１１  下面
２１２  上面
２２  熱交換手段
２２０  冷媒貯蔵空間
２２１  金属板体
２２２  放熱フィン
２２３  水平部
２２４  斜向部
２２５  垂直部
２２７  金属網
２３  放熱ファン
３  放熱対象
【図１】
0003169369.tif 000003
【図２】
0003169369.tif 000004
【図３】
0003169369.tif 000005
【図４】
0003169369.tif 000006
【図５】
0003169369.tif 000007